(57)【特許請求の範囲】
【請求項１】
被検体の投影データを多方向から収集する手段と，この投影データからサイノグラムデータを作成する手段と，このサイノグラムデータに圧縮処理を行って圧縮サイノグラムデータを作成する手段と，作成した圧縮サイノグラムデータを記録媒体に保存する手段と，記録媒体から再生した圧縮サイノグラムデータに伸長処理を行ってサイノグラムデータを再生する手段と，サイノグラムデータを構成する投影データを使用して画像データを再構成する手段とを具備したコンピュータ断層装置。
【請求項２】
被検体の投影データを多方向から収集する手段と，この投影データからサイノグラムデータを作成する手段と，このサイノグラムデータに圧縮処理を行って圧縮サイノグラムデータを作成する手段と，作成した圧縮サイノグラムデータをネットワークによって転送する手段と，ネットワークによって転送された圧縮サイノグラムデータに伸長処理を行ってサイノグラムデータを再生する手段と，サイノグラムデータを構成する投影データを使用して画像データを再構成する手段とを具備したコンピュータ断層装置。
【請求項３】
請求項１または請求項２において，
サイノグラムデータに圧縮処理を行って圧縮サイノグラムデータを作成する手段としてウェーブレット変換を使用した圧縮を行うコンピュータ断層装置。
【請求項４】
請求項３において，
サイノグラムデータの孤立点を削除するようにパラメータを設定したウェーブレット変換を使用した非可逆圧縮を行うコンピュータ断層装置。
【請求項５】
請求項４において，
投影データの雑音成分を削除するようにパラメータを設定したウェーブレット変換を使用した非可逆圧縮を行うコンピュータ断層装置。
【請求項６】
請求項１または請求項２において，
サイノグラムデータに圧縮処理を行って圧縮サイノグラムデータを作成する手段として離散的コサイン変換を使用した圧縮を行うコンピュータ断層装置。
【請求項７】
請求項６において，
サイノグラムデータの孤立点を削除するようにパラメータを設定した離散的コサイン変換を使用した非可逆圧縮を行うコンピュータ断層装置。
【請求項８】
請求項７において，
投影データの雑音成分を削除するようにパラメータを設定した離散的コサイン変換を使用した非可逆圧縮を行うコンピュータ断層装置。
【請求項９】
請求項１または請求項２，請求項３，請求項４，請求項５，請求項６，請求項７，請求項８において，
サイノグラムデータを構成する投影データを使用して複数の再構成パラメータを用いて画像データを再構成する手段を具備したコンピュータ断層装置。
【発明の詳細な説明】
【０００１】
【発明の属する技術】
本発明は，コンピュータ断層装置に関する。
【０００２】
【従来の技術】
Ｘ線ＣＴ装置によって人体の物理的性質をあらわす正確な断面画像データが得られるようになって以来，異なる断面位置で撮影した複数の断面画像データを使用して三次元画像を再構成することが行われてきた。特に最近，ヘリカルスキャンＸ線ＣＴ装置や複数ビームＸ線ＣＴ装置が実用化されるようになったので，より精密な三次元画像を再構成することが可能になった。
【０００３】
精密な三次元画像を作成するためには，三次元画像を作成するために使用する断面画像において，断面画像と断面画像の間隔をできるだけ狭くすることが望ましい。最近実用化された複数ビームＸ線ＣＴ装置では断面と垂直な被検体の体軸方向にＸ線検出器を分割することによって，従来のＸ線ＣＴよりも格段に薄い断面画像（スライス厚さ）と狭い断面画像間の間隔（スライス間隔）を実現している。
【０００４】
この複数ビームＸ線ＣＴ装置で収集した断面画像と断面画像の間隔が狭い画像データを使用すると，従来のＸ線ＣＴ装置で収集した画像データを使用する場合と比較して格段に精密な三次元画像を作成することができる。このため，Ｘ線ＣＴ画像データを使用して作成した三次元画像の臨床応用の範囲が著しく増大し，いろいろな目的で使用されている。
【０００５】
この複数ビームＸ線ＣＴ装置では，スライス間隔の狭い画像データを従来のＸ線ＣＴ装置で収集する場合よりも短時間で収集することが可能になったが，一方臨床的に必要とする体軸方向の長さは従来から変わっていないので，画像データの枚数，したがって画像データのデータ量は大幅に増加した。
【０００６】
従来のＸ線ＣＴ装置では，一検査で収集する画像データの画像枚数は数十枚程度であるので，その画像をマルチフォーマットカメラでフィルムに撮影してこれを並べて観察・読影することが一般的であった。ところが複数ビームＸ線ＣＴ装置の場合には一検査で数百枚にもおよぶ断面画像が再構成されるようになったので，これをマルチフォーマットカメラでフィルムに撮影してこれを並べて観察・読影することが難しくなっている。この面からも，三次元画像を作成して，これを観察・読影したいという要求が増加している。
【０００７】
このように，複数ビームＸ線ＣＴ装置はスライス間隔の狭い画像データを従来のＸ線ＣＴ装置よりも短時間で収集することが可能になった画期的なＸ線ＣＴ装置であるが，得られる再構成画像の枚数が大幅に増加したので，このデータを転送するネットワークの負荷が大幅に増大し，高速ネットワークが必要となった。また，このデータを保管する画像保管転送システム（ＰＡＣＳ）もデータ量の増大にともなって大容量，高速のシステムが必要になった。関連する三次元画像表示装置も大量のデータを短時間で受信し，大量のデータを短時間で画像処理する高性能の装置が要求されるようになった。
【０００８】
ヘリカルスキャンＸ線ＣＴ装置や複数ビームＸ線ＣＴ装置では，初期のＸ線ＣＴ装置とは異なり，体軸方向にも細かい間隔でデータが収集できるので，目的によって断層画像のスライス間隔を変えて再構成したいという要求も強くなっている。たとえば，同一の投影データ集合を使用しても，腹部全体の三次元画像を作成する場合と，腎臓だけの三次元画像を作成する場合では，要求される断層像のスライス間隔が異なる。
【０００９】
このようなことから，ヘリカルスキャンＸ線ＣＴ装置や複数ビームＸ線ＣＴ装置では，被検体の投影データを保存しておき，必要に応じて目的に適した画像再構成パラメータを使用して，画像データを再構成したいという要求が強くなっている。しかしながら，投影データは再構成後の画像データよりもデータ量が大きいので，これまでは研究用など一部で行われているだけで，臨床用のＸ線ＣＴ装置で実現することは難しかった。
【００１０】
図１は従来のＸ線ＣＴ装置におけるデータの流れの一例を示すブロック図である。
１０１はＸ線ＣＴ装置のスキャナ本体で，被検体の投影データを多方向から収集する。
１０７はＸ線ＣＴ装置のスキャナ本体で収集した被検体の投影データを再構成する画像再構成装置である。
１０９は再構成した画像データを保存する磁気ディスク装置である。
１１１は画像データを表示する画像表示装置や三次元画像の再構成装置などである。
１２１は１０１で収集された投影データを示す。これは１０７で画像再構成される。
１２２は１０７で再構成された画像データを示す。これは１０９の磁気ディスク装置に記録される。
１２３は１０７から読み出された画像データを示す。これは１１１の画像表示装置に表示されたり，三次元画像の再構成装置で使用されたりする。
【００１１】
図２は従来のＸ線ＣＴ装置において，画像データを圧縮する場合のデータの流れの一例を示すブロック図である。
１０１はＸ線ＣＴ装置のスキャナ本体で，被検体の投影データを多方向から収集する。
１０７はＸ線ＣＴ装置のスキャナ本体で収集した被検体の投影データを再構成する画像再構成装置である。
１０８は再構成された画像データを圧縮する圧縮装置である。
１０９は圧縮画像データを保存する磁気ディスク装置である。
１１０は圧縮画像データを伸長するために使用する伸長装置である。
１１１は画像データを表示する画像表示装置や三次元画像の再構成装置などである。
１２１は１０１で生成された投影データを示す。これは１０７で画像再構成される。
１３２は１０７で再構成された画像データを示す。これは１０８の圧縮装置で圧縮される。
１３３は１０８で圧縮された圧縮画像データを示す。これは１０９の磁気ディスク装置に記録される。
１３４は１０９から読み出された圧縮画像データを示す。これは１１０の伸長装置で伸長される。
１３５は１１０の伸長装置で伸長された画像データを示す。これは１１１の画像表示装置に表示されたり，三次元画像の再構成装置で使用されたりする。
【００１２】
図１の１０９で記録される画像データ１２２と，図２の１０９で記録される圧縮画像データ１３３とを比較すると，図２ではデータ圧縮装置１０８で画像データが圧縮されているので，図２の圧縮画像データ１３３は図１の画像データ１２２よりもデータ量が小さい。
【００１３】
データ圧縮方法としては，ＪＰＥＧやＪＰＥＧ２０００などの画像圧縮技術を使うことができる。ＪＰＥＧやＪＰＥＧ２０００では可逆圧縮と非可逆圧縮が使用できる。可逆圧縮は圧縮前の画像データと全く同一に復元できるが圧縮率は低く，たとえば５０％程度である。非可逆圧縮は圧縮前の画像データと全く同一には復元できないが圧縮率は高く，たとえば５％程度に圧縮することも可能である。
【００１４】
データ圧縮方法のＪＰＥＧやＪＰＥＧ２０００などでは非可逆圧縮を選択して圧縮率を高くすると，圧縮前のデータと圧縮後のデータの間に誤差が発生する。この誤差は圧縮前のデータの画素値が急激に変化しているところで大きく発生する。
【００１５】
【発明が解決しようとする課題】
ヘリカルスキャンＸ線ＣＴ装置や複数ビームＸ線ＣＴ装置はスライス間隔が狭い画像データを従来のＸ線ＣＴ装置よりも短時間で収集することが可能になった画期的なＸ線ＣＴ装置であるが，得られる再構成画像の枚数が大幅に増加したので，このデータを転送するネットワークの負荷が大幅に増大し，高速ネットワークが必要となった。また，このデータを保管する画像保管転送システム（ＰＡＣＳ）もデータ量の増大にともなって大容量，高速のシステムが必要になった。関連する三次元画像表示装置も大量のデータを短時間で受信し，大量のデータを短時間で画像処理する高性能の装置が要求されるようになった。また，ヘリカルスキャンＸ線ＣＴ装置や複数ビームＸ線ＣＴ装置では，被検体の投影データを保存しておき，必要に応じて目的に適した画像再構成パラメータを使用して，画像データを再構成したいという要求が強くなっている。しかしながら，投影データは再構成後の画像データよりもデータ量が大きいので，これまでは臨床用のＸ線ＣＴ装置で実現することは難しかった。本発明はこれらの問題を解決する新しいコンピュータ断層装置を提供するものである。
【００１６】
【課題を解決するための手段】
本発明は上記の課題を解決するために新しいデータ圧縮方法を使用したコンピュータ断層装置を考案した。これは複数ビームＸ線ＣＴ装置などのＸ線ＣＴ装置のスキャナ本体で収集される投影データからサイノグラムデータを作成する。次にこのサイノグラムデータにウェーブレット変換などを使用した圧縮処理を行って圧縮サイノグラムデータを作成し，この圧縮サイノグラムデータを記録媒体に保存したり，ネットワークによって転送したりする。画像データを必要とする場合は，記録媒体から読み出した圧縮サイノグラムデータまたはネットワークから受信した圧縮サイノグラムデータに対して伸長処理を行ってサイノグラムデータを再生する。次に，サイノグラムデータを構成する投影データを使用して画像再構成処理を行って画像データを再構成する。
【００１７】
従来の画像データの圧縮方法は，複数ビームＸ線ＣＴ装置などで再構成された画像データに圧縮処理を行って圧縮画像データを作成し，これを記録媒体によるデータ保存やネットワークによるデータ転送に使用する。画像データを必要とする場合は，記録媒体から再生した圧縮画像データまたはネットワークから受信した圧縮画像データに伸長処理を行って画像データを再生する。
【００１８】
本発明は，複数ビームＸ線ＣＴ装置などのスキャナ本体で収集した投影データからサイノグラムデータを作成する。次にこのサイノグラムデータに圧縮処理を行って圧縮サイノグラムデータを作成する。これを記録媒体によるデータ保存やネットワークによるデータ転送に使用する。画像データを必要とする場合は，最初に，記録媒体から再生した圧縮サイノグラムデータまたはネットワークから受信した圧縮サイノグラムデータに対して伸長処理を行ってサイノグラムデータを再生し，次に，サイノグラムデータを構成する投影データを使用して画像再構成処理を行って画像データを再生する。これまでは画像再構成処理後の画像データを圧縮・保存しているが，本発明では画像再構成処理前の投影データを圧縮・保存する。
【００１９】
サイノグラムデータの性質から，被検体の断面上のある点は，サイノグラムデータ上では投影角度方向に連続した正弦波になる。したがって，サイノグラムデータ上で孤立した点状のデータはデータ収集系で発生した雑音である。本発明では投影データのサイノグラムデータの圧縮にこの原理を使用して圧縮率を向上させている。すなわち，サイノグラムデータ上で孤立した点状のデータを積極的に切捨てる非可逆圧縮を行って圧縮率を大幅に向上させているが，これは雑音成分であるので画像再構成後の画像の画質劣化は非常に少ない。
【００２０】
ここで，「原画像データ」はＸ線ＣＴ装置などで画像が再構成される被検体の断面で，本発明の説明では「ｘＯｙ」座標系を用い，ｆ（ｘ，ｙ）で表す。
「投影データ」は，座標系「ｘＯｙ」に対して角度θだけ傾いた座標系「ＸＯＹ」を定義し，「Ｙ」軸に平行な方向の原画像データの画素値の線積分を画像の存在するＸ範囲にわたって行ってこれをＸ軸上に投影したデータで，ｇ（Ｘ，θ）で表す。これは０≦θ＜２πで行う。
「サイノグラムデータ」は一連の投影データを，座標系ＸＯθ上にマップした画像データである。
「圧縮処理」はＪＰＥＧやＪＰＥＧ２０００による画像データの圧縮である。「可逆圧縮」は画像データを圧縮し，これを伸長処理で復元した復元画像データが同一の場合の圧縮処理をいう。「非可逆圧縮」は画像データを圧縮し，これを伸長処理で復元した復元画像データが同一でない場合の圧縮処理をいう。
「圧縮データ」は圧縮処理を施したデータで，「圧縮画像データ」は画像データに圧縮処理を施したデータを呼び，「圧縮サイノグラムデータ」はサイノグラムデータに圧縮処理を施したデータをいう。
「伸長処理」は圧縮処理によって圧縮した画像データを復元するために行う処理で，圧縮処理に使用したものと同一の圧縮パラメータを使用して伸長する。圧縮画像データを伸長すると復元した画像データが得られる。また，圧縮サイノグラムデータを伸長すると復元したサイノグラムデータが得られる。
「画像再構成処理」は投影データからフィルター逆投影法や重畳積分逆投影法によって，画像データを再構成する処理である。
「復元画像データ」は，通常は画像データに圧縮処理を行った後に，これに伸長処理をおこなって復元した画像データである。本発明では投影データから作成したサイノグラムデータに圧縮処理を行った後に，これに伸長処理を行い，次にサイノグラムデータを構成する投影データを使用して再構成処理を行って再構成したデータである。
【００２１】
【発明の実施の形態】
以下，本発明によるコンピュータ断層装置の実施例について説明する。図３は本発明の実施例のコンピュータ断層装置におけるデータの流れを示すブロック図である。
１０１はＸ線ＣＴ装置のスキャナ本体で，被検体の投影データを多方向から収集する。
１０２は投影データからサイノグラムを作成し，そのサイノグラムデータを圧縮するデータ圧縮装置である。
１０３は圧縮サイノグラムデータを保存する磁気ディスク装置である。
１０６は磁気ディスク装置に保存された圧縮サイノグラムデータを再生し，これを伸長してサイノグラムデータを復元する伸長装置である。
１０７は復元したサイノグラムデータからフィルター逆投影処理や重畳積分逆投影処理によって画像データを再構成する再構成装置である。
１１１は再構成した画像データを表示する画像表示装置やこの画像データから三次元画像を作成する三次元画像表示装置などである。
１４１は１０１で収集された被検体の投影データを示す。これは１０２でサイノグラムデータを作成し，データ圧縮される。
１４２は１０２で圧縮された圧縮サイノグラムデータを示す。これは１０３で磁気ディスク装置に保存される。
１４３は１０３から読み出された圧縮サイノグラムデータを示す。これは１０６で伸長処理される。
１４７は１０６で伸長されたサイノグラムデータを示す。これは１０７で画像再構成される。
１４８は１０７で画像再構成された画像データを示す。これは１１１の画像表示装置で表示されたり，三次元画像の作成に使用されたりする。
【００２２】
図２の圧縮処理装置１０８で圧縮処理された圧縮画像データ１３３は画像再構成した後の画像データを圧縮したものであるが，図３の圧縮処理装置１０２で圧縮された圧縮サイノグラムデータ１３２は画像再構成する前の投影データをサイノグラムデータに並べたものを圧縮したものである。
【００２３】
このように，本発明は，Ｘ線ＣＴ装置のスキャナ本体で収集した多方向からの投影データからサイノグラムデータを作成する。次にこのサイノグラムデータに圧縮処理を行って圧縮サイノグラムデータを作成し，これを記憶装置１０３で保存する。画像データを使用する場合は，最初に，圧縮サイノグラムデータに対して伸長処理を行ってサイノグラムデータを再生し，次に，サイノグラムデータを構成する投影データに対して逆投影処理を行って画像データを再構成する。
【００２４】
サイノグラムデータの性質から，被検体の断面上のある点は，サイノグラムデータでは投影角度方向に連続した正弦波になる。したがって，サイノグラムデータ上で孤立した点状のデータはデータ収集系で発生した雑音である。本発明では投影データのサイノグラムデータの圧縮にこの原理を使用して圧縮率を向上させている。すなわち，サイノグラムデータ上で孤立した点状のデータを積極的に切捨てる，また，サイノグラムデータでθ方向の連続性を調べ，連続性の小さいものを切捨てる非可逆圧縮を行って，画像再構成後の画像の画質劣化を低く抑えながら，圧縮率を大幅に向上させている。
【００２５】
このように，本発明は，Ｘ線ＣＴ装置のスキャナ本体で収集した多方向からの投影データをサイノグラムデータに写像し，このサイノグラムデータの画像圧縮を行って，投影データのデータ量を小さくすることによって，従来は経済的に実用化が難しかった投影データによるデータ保存を可能にした。サイノグラム画像データの性質を利用して圧縮処理に際して投影データの雑音成分を大幅に切捨てる非可逆圧縮を行うことによって，再構成画像の画質劣化が無く，むしろ雑音の少ない良質な画像の得られる投影データの非可逆圧縮を実現した。
【００２６】
このように，本発明は，複数ビームＸ線ＣＴ装置のスキャナ本体で収集した多方向からの投影データを記録媒体に保存しておき，後刻，必要に応じて投影データを読み出して投影データからの画像再構成を実行することを可能にした。
【００２７】
また，通常のデータ圧縮方法である図２では，ＪＰＥＧはやＪＰＥＧ２０００の非可逆圧縮を使用して圧縮率を高くすると圧縮前のデータと圧縮後のデータの間に誤差が発生する。この誤差は圧縮前のデータの画素値が急激に変化しているところに発生し，これが画質の劣化になる。しかしながら，本発明の圧縮方法である図３では，投影データから作成したサイノグラムデータの画素値は近傍画素値との変化が小さいので，非可逆圧縮の圧縮処理後のデータ量を同一にして画像の劣化を比較した場合は，従来の方法よりも本発明の方法が復元後の画像データの劣化が少ない。
【００２８】
データ圧縮方法のＪＰＥＧは画像データを８画素×８画素のブロックに分割し，そのブロックに離散的コサイン変換（ＤＣＴ）を行ってデータを圧縮する。一方，ＪＰＥＧ２０００では画像データのブロックへの分割は行わずに，画像データ全体にウェーブレット変換を行う。可逆圧縮では変換後のデータの切捨ては行わないが，非可逆圧縮では変換後のデータに含まれる高い周波数の成分の切捨てを行う。この切捨て量を多くするとデータの圧縮率を大きくすることができるが，復元した画像の画質が劣化する。
【００２９】
本発明に使用するデータ圧縮方法としては，ブロックに分割しないＪＰＥＧ２０００のウェーブレット変換によるデータ圧縮が適している。また画像をブロックに分割せずに画像全体に離散的コサイン変換（ＤＣＴ）を行ってデータを圧縮する方法もあるが，これは本発明に使用するデータ圧縮方法として適している。
【００３０】
Ｘ線ＣＴ装置で画像再構成を行って得られる画像データは，一般に一枚あたり５１２画素×５１２画素×１６ビットで５１２ｋＢである。一方，投影データはＸ線ＣＴ装置の設計によって異なるが，検出器１０００チャネル×１０００プロジェクション×１６ビットで２０００ｋＢである。したがって，再構成後の画像データと再構成前の投影データを比較するとデータ量が４倍であるので，再構成後の画像データを保管する場合と再構成前の投影データを保管する場合を比較すると投影データによる保管方法は４倍の記憶容量を必要とする。
【００３１】
しかしながら，最近のＸ線ＣＴ検査では，同一の投影データに対して，再構成条件を変更して数種類の画像を再構成することが行われる場合が多い。このような場合には，同一の投影データに対して再構成条件を変更して再構成した数種類の画像を保管する場合と，投影データと再構成に使用したパラメータとを保管する場合と比較すると，ほとんど同一のデータ量を保管することになる。従って，後刻，自由に画像再構成を行うことが可能な投影データの保存は非常に魅力的である。さらに本発明による投影データの圧縮を行うことによって，再構成後の画像劣化のほとんどない状態で，保存する投影データのデータ量を大幅に減らすことができるので，投影データの保存は非常に魅力的である。
【００３２】
Ｘ線ＣＴ装置の投影データを使用した圧縮実験では，検出器１０００チャネル×１０００プロジェクション×１６ビットで２０００ｋＢの投影データを，非可逆圧縮によって１００ｋＢに圧縮した圧縮投影データを作成し，これを伸長した復元投影データを使用して画像再構成した画像は，投影データをそのまま使用して画像再構成した画像と比較して，画質の劣化は認識できなかった。本発明では非可逆圧縮に際して投影データに含まれている雑音成分を切捨てているので，画質の劣化は少ない。
【００３３】
【実施例】
図４は本発明の他の実施例のコンピュータ断層装置におけるデータの流れを示すブロック図である。図４において図３と同一番号のものは同一の機能を持つ。１０１はＸ線ＣＴ装置のスキャナ本体で，被検体の投影データを多方向から収集する。
１０２は投影データからサイノグラムを作成し，そのサイノグラムデータを圧縮するデータ圧縮装置である。
１０３は圧縮サイノグラムデータを保存する磁気ディスク装置である。
１０４は１０３に保存された圧縮サイノグラムデータをネットワーク経由で転送するネットワークインターフェースユニットである。
１０５はネットワーク経由で転送される圧縮サイノグラムデータを受信するネットワークインターフェースユニットである。
１０６は磁気ディスク装置に保存された圧縮サイノグラムデータを再生し，これを伸長してサイノグラムデータを復元する伸長装置である。
１０７は復元したサイノグラムデータからフィルター逆投影処理や重畳積分逆投影処理によって画像データを再構成する再構成装置である。
１１１は再構成した画像データを表示する画像表示装置やこの画像データから三次元画像を作成する三次元画像表示装置などである。
１４１は１０１で収集された被検体の投影データを示す。これは１０２でサイノグラムデータを作成し，データ圧縮される。
１４２は１０２で圧縮された圧縮サイノグラムデータを示す。これは１０３で磁気ディスク装置に保存される。
１４４は１０３から読み出された圧縮サイノグラムデータを示す。これは１０４でネットワークに送信される。
１４５はネットワーク上の圧縮サイノグラムデータを示す。
１４６は１０５でネットワークから受信された圧縮サイノグラムデータを示す。
これは１０６で伸長処理される。
１４７は１０６で伸長されたサイノグラムデータを示す。これは１０７で画像再構成される。
１４８は１０７で画像再構成された画像データを示す。これは１１１の画像表示装置で表示されたり，三次元画像の作成に使用されたりする。
【００３４】
このように投影データのデータ量を圧縮した圧縮サイノグラムデータをネットワーク経由で転送することによってローカルなシステムだけでなく遠隔システムでＸ線ＣＴ画像データの再構成を希望するパラメータを使用して行うことが可能になる。
【００３５】
これまでの説明では図３，図４の１０１はＸ線ＣＴ装置のスキャナ本体，１４１はＸ線ＣＴ装置のスキャナ本体で収集される投影データの場合を説明したが，１０１はＭＲ装置，核医学装置，超音波装置などの医用画像装置，１４１はそれらから得られる投影データに適用できる。
【００３６】
これまでの説明では図３，図４の１１１は画像表示装置や三次元画像表示装置の場合を説明したが，１１１は画像データを使用する他の任意の装置に適用できる。
【００３７】
本発明によるデータ圧縮は医用画像保管通信システム（ＰＡＣＳ）のネットワークを転送するデータ量の削減や記憶装置に保存するデータ量の削減に役立つ。
【００３８】
サイノグラムデータに圧縮処理を行って圧縮サイノグラムデータを作成する手段としてウェーブレット変換の他に，フルフレーム離散的コサイン変換などの圧縮方法を使用することができる。
【００３９】
【発明の効果】
本発明は，被検体の投影データを多方向から収集する手段と，この投影データからサイノグラムデータを作成する手段と，このサイノグラムデータに圧縮処理を行って圧縮サイノグラムデータを作成する手段と，作成した圧縮サイノグラムデータを記録媒体に保存する手段と，記録媒体から再生した圧縮サイノグラムデータに伸長処理を行ってサイノグラムデータを再生する手段と，サイノグラムデータを構成する投影データを使用して画像データを再構成する手段とを具備したコンピュータ断層装置を提供した。
【００４０】
本発明は，被検体の投影データからサイノグラムデータを作成し，このサイノグラムデータの孤立データを削除する機能を含むデータ圧縮処理を実行して圧縮サイノグラムデータを作成することによって，再構成後の画像データの画質劣化が実質的に無い状態で，投影データのデータ量を減らすことを可能にした。この圧縮サイノグラムデータを記録媒体に保存することによって，任意の時点で投影データから画像データの画像再構成を行うことが経済面からも可能になった。本発明によって，投影データから画像データを任意の再構成パラメータを使用して，任意の時点で再構成することが経済的に可能になった。従来は，ＣＴ検査の結果の記録は，再構成後の画像のプリントによる保存か，再構成後の画像データの記憶媒体による保存かによって行われてきた。しかし，本発明によって，ＣＴ検査の結果の記録は，再構成前の投影データと再構成パラメータを保存することで行うことが経済的に可能になり，また，このことによって，後刻，再構成パラメータを変えながら画像再構成を行うことによって，ＣＴ検査のレビューに利用することが可能になった。
【００４１】
本発明はＸ線ＣＴ装置で収集される投影データの場合を説明したが，ＭＲ装置，核医学装置，超音波装置などで収集される投影データに適用できる。
【図面の簡単な説明】
【図１】従来のコンピュータ断層装置のデータの流れの一例を示すブロック図
【図２】従来のコンピュータ断層装置のデータの流れの他の例を示すブロック図
【図３】本発明の実施例のコンピュータ断層装置における医用画像データの流れを示すブロック図
【図４】本発明の他の実施例のコンピュータ断層装置における医用画像データの流れを示すブロック図
【符号の説明】
１０１  被検体の投影データを収集するＸ線ＣＴ装置のスキャナ本体
１０２  投影データからサイノグラムデータを作成し，これを圧縮するデータ圧縮装置
１０３  圧縮サイノグラムデータを保存する記憶装置
１０４  圧縮サイノグラムデータをネットワーク経由で送信するネットワークインターフェース
１０５  圧縮サイノグラムデータをネットワーク経由で受信するネットワークインターフェース
１０６  圧縮サイノグラムデータを伸長して投影データを復元する伸長装置
１０７  投影データから画像データを再構成する画像再構成装置
１０８  再構成された画像データを圧縮するデータ圧縮装置
１０９  画像データ，圧縮画像データを保存するために使用する磁気ディスク装置
１１０  圧縮画像データを伸長して画像データを復元する伸長装置
１１１  画像データを表示する画像表示装置や三次元画像の再構成装置
１２１  １０１で収集された投影データ。１０７で再構成される。
１２２  １０７で再構成された画像データ。１０９で保存される。
１２３  １０９で再生された画像データ。１１１で表示される。
１３２  １０７で再構成された画像データ。１０８で圧縮される。
１３３  １０８で圧縮された圧縮画像データ。１０９で保存される。
１３４  １０９で再生された圧縮画像データ。１１０で伸長される。
１３５  １１０で伸長された画像データ。１１１で表示される。
１４１  １０１で収集された投影データ。１０２で圧縮される。
１４２  １０２で圧縮された圧縮投影データ。１０３で保存される。
１４３  １０３から読み出された圧縮投影データ。１０６で伸長される。
１４４  １０３から読み出された圧縮投影データ。１０４でネットワーク経由送信される。
１４５  １０４で送信された圧縮投影データ。１０５で受信される。
１４６  １０５でネットワークから受信された圧縮投影データ。１０６で伸長される。
１４７  １０６で伸長された復元投影データ
１４８  １０７で再構成された画像データ。１１１で表示される。
【図１】
0004705737.tif 000002
【図２】
0004705737.tif 000003
【図３】
0004705737.tif 000004
【図４】
0004705737.tif 000005